(57)【要約】【課題】  簡単な構造で、小型化を図ることができると共に、効率良く発電して蓄電することができる電池装置およびそれを備えた電子機器を提供する。【解決手段】  電池ケース１６内に収納された発電部２０が、平板状の電池基板２３と対面する回転板２４に、その回転中心部から放射状に形成された放射状部３４を備えた第１電極３２と、電荷保持体であるエレクトレット膜３５とを配置する一方で、この第１電極３２の放射状部３４と対向するように電池基板２３に形成された放射状部３８を備えた第２電極３６を電池基板２３に配置した。従って、電池基板２３に対して回転板２４を一定間隔に保って回転させ、この回転板２４の機械的な回転運動エネルギを効率良く電気エネルギに変換して電池部２１の蓄電部に蓄電することができる。【選択図】        図２
2010279201.tif 000002
【特許請求の範囲】
【請求項１】
電池ケース内に発電部と電池部とを収納した電池装置であって、
前記発電部は、
平板状の基板と、
この基板の平面に対面して回転する回転部材と、
この回転部材に当該回転部材の回転中心部から放射状に形成された放射部を備えた第１電極と、
この第１電極の放射部と対向するように前記平板状の基板上に形成された放射部を備えた第２電極と、
前記第１電極と前記第２電極との一方に設けられた電荷保持体とを備えており、
前記電池部は、前記第１電極と前記第２電極との相対的な回転により発生する電荷を蓄電する蓄電部を備えていることを特徴とする電池装置。
【請求項２】
前記回転部材は、小径の円形部と、この小径の円形部の外周部に当該円形部よりも大径でほぼ半円弧状に形成された半円弧部とを備えていることを特徴とする請求項１に記載の電池装置。
【請求項３】
前記第１電極の前記放射部は、前記回転部材の前記半円弧部にほぼ半円弧状に形成されていることを特徴とする請求項２に記載の電池装置。
【請求項４】
前記第１電極の前記放射部は、前記回転部材の前記小径の円形部に円形状に形成されていることを特徴とする請求項２に記載の電池装置。
【請求項５】
請求項１に記載の電池装置を機器ケース内に設けたことを特徴とする電子機器。
【発明の詳細な説明】
【技術分野】
【０００１】
この発明は、発電機能を有する電池装置およびそれを備えた電子機器に関する。
【背景技術】
【０００２】
従来、静電誘導を利用した小型の発電装置として、特許文献１に記載されているような発電装置が知られている。この発電装置は、電荷を保持する電荷保持部材であるエレクトレット電極が複数配列された固定基板と、複数の可動電極が設けられた可動基板とを、互いに対向させて配置し、この状態で外部振動を受けると、可動基板がその平面方向における任意の方向に移動し、エレクトレット電極と可動電極とが相対運動して、エレクトレット電極と可動電極との間の誘導電荷量を変化させることにより、発電するように構成されている。
【先行技術文献】
【特許文献】
【０００３】
【特許文献１】特開２００８−８６１９０号公報
【発明の概要】
【発明が解決しようとする課題】
【０００４】
しかしながら、このような従来の発電装置では、固定基板と可動基板との相対的な機械運動エネルギを電気エネルギに変換する構造であるから、外部振動を受けた際に、固定基板に対して可動基板をその平面方向における任意の方向に移動させるために、可動基板の４辺をそれぞればね部材などで保持する必要があるほか、固定基板に対して可動基板を一定間隔に保った状態で面方向に平行移動させるために、可動基板をガイドするためのガイド部材が必要となり、このため構造が複雑になり、小型化を図ることができないという問題がある。
【０００５】
この発明が解決しようとする課題は、簡単な構造で、小型化を図ることができると共に、効率良く発電して蓄電することができる電池装置およびそれを備えた電子機器を提供することである。
【課題を解決するための手段】
【０００６】
この発明は、上記課題を解決するために、次のような構成要素を備えている。
請求項１に記載の発明は、電池ケース内に発電部と電池部とを収納した電池装置であって、前記発電部は、平板状の基板と、この基板の平面に対面して回転する回転部材と、この回転部材に当該回転部材の回転中心部から放射状に形成された放射部を備えた第１電極と、この第１電極の放射部と対向するように前記平板状の基板上に形成された放射部を備えた第２電極と、前記第１電極と前記第２電極との一方に設けられた電荷保持体とを備えており、前記電池部は、前記第１電極と前記第２電極との相対的な回転により発生する電荷を蓄電する蓄電部を備えていることを特徴とする電池装置である。
【０００７】
請求項２に記載の発明は、前記回転部材が、小径の円形部と、この小径の円形部の外周部に当該円形部よりも大径でほぼ半円弧状に形成された半円弧部とを備えていることを特徴とする請求項１に記載の電池装置である。
【０００８】
請求項３に記載の発明は、前記第１電極の前記放射部が、前記回転部材の前記半円弧部にほぼ半円弧状に形成されていることを特徴とする請求項２に記載の電池装置である。
【０００９】
請求項４に記載の発明は、前記第１電極の前記放射部は、前記回転部材の前記小径の円形部に円形状に形成されていることを特徴とする請求項２に記載の電池装置である。
【００１０】
請求項５に記載の発明は、請求項１に記載の電池装置を機器ケース内に設けたことを特徴とする電子機器である。
【発明の効果】
【００１１】
この発明によれば、外部振動によって回転部材が平板状の基板の平面に対面して回転する構成であるから、ガイド部材を用いずに、基板に対して回転部材を一定間隔に保って回転させることができると共に、回転部材に設けられた第１電極と基板に設けられた第２電極との一方に設けられた電荷保持体がその他方の電極に対して相対的に回転移動するので、回転部材の機械的な回転運動エネルギを効率良く電気エネルギに変換することができる。このため、簡単な構造で、小型化を図ることができると共に、効率良く発電して蓄電することができる。
【図面の簡単な説明】
【００１２】
【図１】この発明を適用した電子腕時計の実施形態１を示した拡大断面図である。
【図２】図１の電子腕時計に組み込まれた電池装置を示した拡大断面図である。
【図３】図２の電池装置における要部を示した拡大断面図である。
【図４】図２の電池装置における回転板を上方から見た拡大平面図である。
【図５】図２の電池装置における電池基板を下方から見た拡大底面図である。
【図６】図１の電子腕時計に組み込まれた電池装置の回路構成を示した図である。
【図７】実施形態１において電池基板に設けられた第２電極の変形例を示した拡大底面図である。
【図８】この発明を適用した電子腕時計の実施形態２において電池装置の要部を示した拡大断面図である。
【図９】図８の電池装置における回転板を示した拡大平面図である。
【図１０】図８の電池装置における電池基板を示した拡大底面図である。
【図１１】この発明を適用した電子腕時計の実施形態３において電池装置の要部を示した拡大断面図である。
【図１２】図１１の電池装置における回転板を示した拡大平面図である。
【図１３】図１１の電池装置における電池基板を示した拡大底面図である。
【図１４】この発明を適用した電子腕時計の実施形態４において電池装置の要部を示した拡大断面図である。
【図１５】図１４の電池装置における回転板を示した拡大平面図である。
【図１６】図１４の電池装置における電池基板を示した拡大底面図である。
【図１７】実施形態１〜４における回転板の変形例を示した拡大平面図である。
【発明を実施するための形態】
【００１３】
（実施形態１）
以下、図１〜図６を参照して、この発明を電子腕時計に適用した実施形態１について説明する。
この電子腕時計は、図１に示すように、腕時計ケース１を備えている。この腕時計ケース１は、ケース本体２と、このケース本体２の上部外周に設けられたリング状のべゼル３とを備えている。
【００１４】
この腕時計ケース１の上部開口部つまりべゼル３の上部開口部には、図１に示すように、時計ガラス４がパッキン４ａを介して取り付けられており、腕時計ケース１の下部つまりケース本体２の下部には、裏蓋５が防水リング５ａを介して取り付けられている。また、この腕時計ケース１内には、時計モジュール６が設けられている。この時計モジュール６は、上部ハウジング７と下部ハウジング８とを備え、これらの間に回路基板９が設けられた構成になっている。
【００１５】
この場合、上部ハウジング７の上面には、図１に示すように、文字板１０が設けられている。この上部ハウジング７内には、時計ムーブメント（図示せず）が設けられている。この時計ムーブメントは、その指針軸１１ａが文字板１０の上方に突出し、この突出した上端部に秒針、分針、時針などの指針１１ｂが取り付けられ、この指針１１ｂが文字板１０の上方を運針することにより、時刻を指示するように構成されている。
【００１６】
また、下部ハウジング８内には、図１に示すように、電池装置１２を収納する電池収納部１３が設けられていると共に、アンテナ１４が設けられている。この下部ハウジング８の下面には、金属製の地板１５が電池収納部１３およびアンテナ１４に対応する箇所を除いて設けられている。この地板１５は、その周縁部に複数のフック部１５ａが設けられ、この複数のフック部１５ａが上部ハウジング７の側面に係止されることにより、上部ハウジング７を下部ハウジング８に対して固定するように構成されている。
【００１７】
ところで、電池装置１２は、図２に示すように、釦型の電池ケース１６を備えている。この電池ケース１６は、釦形状のケース本体１７の上部に円形状の開口部１７ａが設けられ、この開口部１７ａに電極板１８が絶縁部材１９を介して設けられた構成になっている。ケース本体１７は、導電性を有する金属板からなり、電池装置１２全体の正極（＋）に形成されている。電極板１８は、導電性を有する金属板からなり、電池装置１２全体の負極（―）に形成されている。
【００１８】
この場合、電極板１８は、図２に示すように、ケース本体１７の開口部１７ａに挿入して外部に露出する電極頭部１８ａと、ケース本体１７の開口部１７ａの縁部におけるケース本体１７の内面に絶縁部材１９を介して固定される取付鍔部１８ｂとを備えている。これにより、電極板１８は、ケース本体１７に接触して導通することなく、本体ケース１７に固定されている。
【００１９】
この電池ケース１６の内部には、図２に示すように、発電部２０と電池部２１とが収納されている。電池部２１は、その内部に後述する蓄電部２２（図６参照）を有する充電池またはコンデンサであり、下部側の外周面が正極（＋）に形成され、上部側の表面が負極(−)に形成されている。この電池部２１は、図２に示すように、電池ケース１６内の底部に配置され、上部外周がケース本体１７に設けられた突起部１７ｂによって押え付けられ、この状態で下部側の外周面がケース本体１７に接触して導通するように構成されている。
【００２０】
一方、発電部２０は、図２に示すように、電極板１８の下面に設けられた平板状の電池基板２３と、この電池基板２３の平面に対面して回転する回転板２４とを備えている。この場合、電池基板２３は、接続部材２５によってケース本体１７と電気的に接続されている。これにより、電池ケース１６の正極（＋）であるケース本体１７には、電池基板２３と電池部２１の正極（＋）とがそれぞれ電気的に接続されている。
【００２１】
回転板２４は、導電性を有する金属からなり、図２に示すように、電池基板２３の下側に位置し、その中心部がケース本体１７の上部に設けられた電極板１８に回転軸２６によって回転自在に取り付けられている。すなわち、この回転軸２６は、図２に示すように、回転板２４の中心部に設けられた軸孔２４ａを通して、電極板１８に埋め込まれたベアリング２７に回転自在に取り付けられ、この状態でベアリング２７の上方に突出した部分にナット１８ａが取り付けられることにより、電極板１８に対して回転自在に取り付けられている。
【００２２】
これにより、回転板２４は、その中心部の軸孔２４ａに挿入された回転軸２６にナット１８ａが螺着して締め付けられることにより、回転軸２６の頭部２６ａとナット１８ａとによって回転板２４の軸孔２４ａの縁部がベアリング２７の内輪部に押し付けられ、これにより電池基板２３の下面に対して常に一定間隔を保った状態で、回転軸２６と共に回転するように構成されている。この場合、回転板２４は、回転軸２６とベアリング２７とが導電性を有する金属で形成されていることにより、この回転軸２６とベアリング２７とを介して電池ケース１６の負極（−）である電極板１８と電気的に接続されている。
【００２３】
また、回転軸２６は、その頭部２６ａと電池部２１の上面の負極（−）との間に板ばね状の接続部材２８が設けられ、この板ばね状の接続部材２８によって回転軸２６が弾力的に押上げられた状態で、電池部２１の負極（−）と電気的に接続されている。これにより、電池ケース１６の負極（−）である電極板１８には、回転板２４と電池部２１の負極（−）との両者が接続部材２８、回転軸２６、およびベアリング２７をそれぞれ介して電気的に接続されている。
【００２４】
ところで、この回転板２４は、図４に示すように、小径の円形部３０と、この小径の円形部３０よりも大径でほぼ半円弧状に形成された半円弧部３１とを備えている。小径の円形部３０は、その中心部に回転軸２６が挿入する軸孔２４ａが設けられている。半円弧部３１は、その外周部に錘部３１ａが設けられた状態で、小径の円形部３０の外周部に一体に形成されている。これにより、回転板２４は、外部振動を受けると、半円弧部３１の錘部３１ａによる慣性によって回転軸２６を中心に回転するように構成されている。
【００２５】
また、この回転板２４の上面には、図２〜図４に示すように、第１電極３２が絶縁膜３３を介して設けられている。この場合、絶縁膜３３は、図３および図４に示すように、回転板２４の半円弧部３１における上面のほぼ全域に設けられている。この絶縁膜３３上に設けられた第１電極３２は、回転板２４の回転中心部である軸孔２４ａから放射状に形成された放射状部３４を備えている。
【００２６】
この放射状部３４は、図３および図４に示すように、回転板２４の半円弧部３１に設けられた絶縁膜３３上に多数の電極片３４ａが一定間隔で放射状に配列された構成になっている。すなわち、この放射状部３４は、多数の電極片３４ａがほぼ一定の幅で放射方向に向けて細長く形成されていると共に、互いに隣接する各電極片３４ａが一定間隔の隙間をもって配列されている。また、この放射状部３４は、多数の電極片３４ａがその内周端と外周端とにおいてすべて接続された状態で、絶縁膜３３の側方に導かれて回転板２４と電気的に接続されている。
【００２７】
これにより、第１電極３２は、図２に示すように、回転板２４、回転軸２６、およびベアリング２７をそれぞれ介して電池ケース１６の負極（−）である電極板１８と電気的に接続されている。また、この第１電極３２の放射状部３４における各電極片３４ａ上には、図３に示すように、電荷保持体であるエレクトレット膜３５が形成されている。このエレクトレット膜３５は、半永久的な電荷をもつ絶縁体であり、フロロカーボン樹脂やアモルファスフッ素樹脂などの電荷保持材料からなっている。
【００２８】
このエレクトレット膜として使用可能な電荷保持材料は、例えば、ポリプロピレン（ＰＰ）、ポリエチレンテレフタレート（ＰＥＴ）、ポリビニルクロライド（ＰＶＣ）、ポリスチレン（ＰＳ）、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＥ）、ポリビニルデンジフルオライド（ＰＶＤＦ）、ポリクロロトリフルオロエチレン（ＰＣＴＦＥ）、クロロトリフルオロエチレン−エチレン共重合体（ＥＣＴＦＥ）、およびポリビニルフルオライド（ＰＶＦ）のような高分子電荷保持材料、またはシリコン酸化物（ＳｉＯ２）およびシリコン窒化物（ＳｉＮ）のような無機電荷保持材料である。
【００２９】
一方、回転板２４に対向する電池基板２３の下面には、図２および図５に示すように、第２電極３６が絶縁膜３７を介して設けられている。この場合、絶縁膜３７は、図３に示すように、回転板２４の第１電極３２が回転移動する移動軌跡上に対応する箇所に、第１電極３２と同じ大きさの半円弧状に設けられており、この絶縁膜３７の下面（図５では表面）には、第２電極３６が設けられている。この第２電極３６は、導電性を有する金属からなり、回転板２４の回転中心部である回転軸２６から放射状に形成された放射状部３８を備えている。
【００３０】
この放射状部３８は、図５に示すように、電池基板２３に設けられた絶縁膜３７上に多数の電極片３８ａが一定間隔で放射状に配列された構成になっている。すなわち、この放射状部３８は、第１電極３２の放射状部３４と同様、多数の電極片３８ａがほぼ一定の幅で放射方向に向けて細長く形成されていると共に、互いに隣接する各電極片３８ａが一定間隔の隙間をもって配列されている。
【００３１】
また、この放射状部３８は、多数の電極片３８ａがその内周端と外周端とにおいてすべて接続された状態で、絶縁膜３７の側方に導かれて、図３に示すように、電池基板２３と電気的に接続されていると共に、この電池基板２３および接続部材２５をそれぞれ介して電池ケース１６の正極（＋）であるケース本体１７と電気的に接続されている。
【００３２】
これにより、この発電部２０は、回転板２４が回転して、回転板２４に設けられた第１電極３２が電池基板２３に設けられた第２電極３６に対して相対的に回転移動すると、第１電極３２の多数の電極片３４ａ上に形成されたエレクトレット膜３５と第２電極３６の多数の電極片３８ａとが相対的に移動して、第１電極３２のエレクトレット膜３５と第２電極３６との間の誘導電荷量が変化することにより、発電するように構成されている。
すなわち、第１電極３２のエレクトレット膜３５と第２電極３６とが相対的に移動すると、静電誘導によりエレクトレット膜３５側の電荷が対向する第２電極３６側に流れることにより、発電が行なわれる。
【００３３】
次に、この電池装置１２の回路構成について、図６に示された原理的な図を参照して説明する。
この電池装置１２においては、第１電極３２が第１、第２の各整流器４０、４１に接続され、第２電極３６が第３、第４の各整流器４２、４３に接続されている。第１整流器４０は電池部２１の蓄電部２２の正極（＋）に接続され、第２整流器４１は蓄電部２２の負極（−）に接続され、第３整流器４２は蓄電部２２の正極（＋）に接続され、第４整流器４３は蓄電部２２の負極（−）に接続された構成になっている。
【００３４】
この場合、第１整流器４０と第４整流器４３とは、第１電極３２が第２電極３６に対して一方向（例えば、時計回り方向）に回転移動した際に、電荷を蓄電部２２に蓄えるように電流の流れを整流するように構成されている。また、第２整流器４１と第３整流器４２とは、第１電極３２が第２電極３６に対して逆方向（例えば、反時計回り方向）に回転移動した際に、電荷を蓄電部２２に蓄えるように電流の流れを整流するように構成されている。
【００３５】
次に、この電子腕時計を腕に取り付けて使用する場合について説明する。
まず、腕を振って歩きながら電子腕時計を軽く振った場合には、その電子腕時計内の電池装置１２における発電部２０の回転板２４が小径の円形部３０の外周部に設けられた半円弧部３１の錘部３１ａによる慣性によって回転する。このときには、半円弧部３１の外周部に錘部３１ａが設けられているので、腕の振りに応じて回転板２４に慣性力が発生し、この慣性力によって回転板２４が電池基板２３に対して一定間隔を保って回転する。
【００３６】
このとき、回転板２４は、必ずしも１回転（３６０°の角度回転）せず、腕の振りによる慣性力に応じた角度範囲で揺動する。このため、回転板２４は例えば時計周りに所定の角度回転した後、反時計回りに所定の角度回転し、この動作を繰り返すことにより、発電を繰り返して電池部２１の蓄電部２２に蓄電する。このとき、回転板２４が１８０°の角度範囲で回転する場合には、常に第１電極３２の多数の電極片３４ａ上に形成されたエレクトレット膜３５と第２電極３６の多数の電極片３８ａとが互いに対向した状態で相対的に移動するので、連続して発電する。
【００３７】
すなわち、回転板２４が時計周りに１８０°の角度範囲内における角度で回転するときに、第１電極３２の多数の電極片３４ａ上に形成されたエレクトレット膜３５と第２電極３６の多数の電極片３８ａとが相対的に移動して、第１電極３２の多数のエレクトレット膜３５と第２電極３６の多数の電極片３８ａとの間の誘導電荷量が変化することにより、発電して電荷を電池部２１の蓄電部２２に蓄える。
【００３８】
また、回転板２４が反時計周りに１８０°の角度範囲内における角度で回転するときにも、第１電極３２の多数の電極片３４ａ上に形成されたエレクトレット膜３５と第２電極３６の多数の電極片３８ａとが相対的に移動して、第１電極３２の多数のエレクトレット膜３５と第２電極３６の多数の電極片３８ａとの間の誘導電荷量が変化することにより、発電して電荷を電池部２１の蓄電部２２に蓄える。
【００３９】
一方、電子腕時計が取り付けられた腕を曲げて上下方向に速く動かした場合には、電池装置１２における発電部２０の回転板２４が小径の円形部３０の外周部に設けられた半円弧部３１の錘部３１ａによる慣性によって同じ方向（時計方向または反時計方向）に連続して回転する。
【００４０】
このときには、多数のエレクトレット膜３５を備えた第１電極３２が半円弧部３１に半円弧状に設けられており、多数の電極片３８ａを備えた第２電極３６が電池基板２３に半円弧状に設けられているので、回転板２４が半回転（１８０°回転）するときに、第２電極３６と第１電極３２の一部とが必ず対向するが、次の半回転（１８０°〜３６０°の角度回転）のときには、第２電極３６と第１電極３２との対向する範囲が狭くなり、第１、第２の各電極３２、３６の両者が一瞬だけ対向しない位置がある。
【００４１】
このため、第２電極３６が第１電極３２の一部に対向した状態で、回転板２４が半回転するときには、第１電極３２の多数の電極片３４ａに形成されたエレクトレット膜３５と第２電極３６の多数の電極片３８ａとが相対的に移動して、第１電極３２の多数のエレクトレット膜３５と第２電極３６の多数の電極片３８ａとの間の誘導電荷量が変化することにより、発電して電荷を電池部２１の蓄電部２２に蓄える。
【００４２】
また、次の半回転（１８０°〜３６０°の角度回転）のときには、第２電極３６と第１電極３２との対向する範囲が狭くなるため、第１電極３２の多数のエレクトレット膜３５と第２電極３６の多数の電極片３８ａとの間の誘導電荷量が変化する範囲が狭くなり、発電量が少なくなり、第１、第２の各電極３２、３６の両者が一瞬対向しないときには発電が途切れる。これにより、回転板２４が連続して一方向に回転するときには、第１電極３２と第２電極３６とが全く対面しない一瞬を除いて、ほぼ連続して発電し、電荷を蓄電部２２に蓄電する。
【００４３】
このように、この電子腕時計の電池装置１２によれば、電池ケース１６内に収納された発電部２０が、平板状の電池基板２３と、この電池基板２３の平面に対面して回転する回転板２４と、この回転板２４にその回転中心部から放射状に形成された放射状部３４を備えた第１電極３２と、この第１電極３２の放射状部３４と対向するように電池基板２３に形成された放射状部３８を備えた第２電極３６と、第１電極３２に設けられた電荷保持体であるエレクトレット膜３５とを備えており、電池ケース１６内に収納された電池部２１が、第１電極３２のエレクトレット膜３５と第２電極３６との相対的な回転により発生する電荷を蓄電する蓄電部２２を備えているので、簡単な構造で、装置全体の小型化を図ることができると共に、効率良く発電して蓄電することができる。
【００４４】
すなわち、この電池装置１２によれば、外部振動によって発電部２０の回転板２４が電池基板２３の平面に対面して回転する構成であるから、ガイド部材を用いずに、電池基板２３に対して回転板２４を回転軸２６によって一定間隔に保って回転させることができる。また、回転板２４に設けられた第１電極３２上に電荷保持体であるエレクトレット膜３５が形成され、この第１電極３２のエレクトレット膜３５と電池基板２３に設けられた第２電極３６とが相対的に回転移動するので、回転板２４の機械的な回転運動エネルギを効率良く電気エネルギに変換することができる。このため、構造が簡単で、装置全体の小型化を図ることができると共に、効率良く発電して蓄電することができる。
【００４５】
この場合、回転板２４は、小径の円形部３０と、この小径の円形部３０の外周部にその円形部３０よりも大径でほぼ半円弧状に形成された半円弧部３１とを備えているので、回転軸２６によって回転板２４を電池基板２３に対して一定の間隔で回転自在に取り付けることにより、外部振動を受けると、回転板２４の半円弧部３１に慣性が生じ、この慣性によって回転板２４を電池基板２３に対して一定間隔で回転させることができるので、外部振動に応じて回転板２４を良好に回転させることができる。
【００４６】
例えば、電子腕時計を腕に取り付けて歩きながら腕を振ると、電池装置１２の発電部２０における回転板２４が、必ずしも１回転（３６０°の角度）せず、腕の振りによる慣性力に応じた角度範囲で揺動するので、回転板２４が例えば時計周りに所定角度で回転した後、反時計回りに所定角度で回転し、この動作を繰り返すことにより、発電して電池部２１の蓄電部２２に蓄えることができる。また、電子腕時計が取り付けられた腕を曲げて上下方向に速く動かすと、回転板２４がその慣性力によって同じ方向（時計方向または反時計方向）に連続回転するので、回転板２４を連続させて回転させて発電することができ、その電荷を電池部２１の蓄電部２２に蓄えることができる。
【００４７】
また、この電池装置１２における第１電極３２の放射状部２４は、その多数の電極片３４ａが回転板２４の半円弧部３１にほぼ半円弧状に配列されており、第２電極３６の放射状部３８は、その多数の電極片３８ａが電池基板２３にほぼ半円弧状に配列されていることにより、回転板２４が、必ずしも１回転（３６０°の角度回転）せず、腕の振りによる慣性力に応じた角度（例えば１８０°の角度）範囲で揺動する際に、第２電極３６の多数の電極片２８ａを常に第１電極３２の多数の電極片３４ａに形成されたエレクトレット膜３５に対向させた状態で相対的に移動させることができるので、連続して発電することができる。
【００４８】
また、回転板２４が腕の振りによる慣性力に応じて連続して回転する際には、第１電極３２の放射状部２４が回転板２４の半円弧部３１にほぼ半円弧状に形成されていることにより、回転板２４が半回転（１８０°回転）するときに、第２電極３６が第１電極３２の一部に対向して発電することができ、次の半回転（１８０°〜３６０°の角度回転）のときに、第２電極３６が第１電極３２に対向する範囲が狭くなり、発電量が減少し、第１、第２の各電極３０、２６の両者が一瞬対向しないときに発電が途切れるが、このとき以外は発電を継続するので、回転板２４が連続して回転するときには、ほぼ連続して発電を行なうことができる。
【００４９】
さらに、この電池装置１２によれば、電池部２１が第１電極３２と第２電極３６との相対的な回転により発生する電荷を蓄電する蓄電部２２を備えているので、回転板２４の回転動作に応じて第１電極３２のエレクトレット膜３５と電池基板２３に設けられた第２電極３６との間に発生した電荷を良好に且つ確実に蓄電部２２に蓄えることができ、これにより電子腕時計に良好に組み込んで使用することができる。
【００５０】
また、この電池装置１２によれば、回転板２４が導電性を有する金属からなり、その回転中心部が、電極板１８に設けられたベアリング２７に回転自在に取り付けられた導電性の回転軸２６に取り付けられており、電池部２１は、その負極（−）が接続部材２８によって回転軸２６と電気的に接続されており、第１電極３２と電池部２１の蓄電部２２とは、接続部材２８、回転軸２６、および回転板２４をそれぞれ介して電気的に接続されており、第２電極３６と蓄電部２２とは、接続部材２５、および電池基板２３をそれぞれ介して電気的に接続されているので、簡単な構造で、回転板２４が回転軸２６の軸回りを３６０°以上の角度回転しても、第１電極２２と蓄電部２２とを確実に且つ良好に接続することができる。
【００５１】
なお、上述した実施形態１では、電池基板２３の下面に設けられた第２電極３６の放射状部３８を、第１電極３２の放射状部３４と同じ形状で同じ大きさの半円弧状に形成した場合について述べたが、これに限らず、例えば図７に示す変形例のように、電池基板２３の下面に設けられる第２電極４５の放射状部４６を、第１電極３２の放射状部３４の回転移動軌跡上に対応する円形リング状に形成した構成にしても良い。
【００５２】
この場合にも、放射状部４６は、図７に示すように、電池基板２３に設けられた絶縁膜３７上に多数の電極片４６ａを一定間隔で放射状に配列した構成にすれば良い。このように構成すれば、回転板２４の第１電極３２が常に第２電極４５に対応して回転移動するので、回転板２４がどのように回転しても、常に連続して発電することできると共に、回転速度に応じて発電を安定させることができ、このため実施形態１よりも、より一層、効率良く発電することができる。
【００５３】
（実施形態２）
次に、図８〜図１０を参照して、この発明を適用した電子腕時計の実施形態２について説明する。なお、図１〜図６に示された実施形態１と同一部分には同一符号を付して説明する。
この電子腕時計は、電池装置５０における発電部５１の第１電極５２と第２電極５３とが実施形態１と異なる構成であり、これ以外は実施形態１とほぼ同じ構成になっている。
【００５４】
すなわち、この電池装置５０は、実施形態１と同様、電池ケース１６内に発電部５１と電池部２１とを収納した構成になっている。この発電部５１は、電池ケース１６の電極板１８に固定された電池基板２３と、この電池基板２３に対面して回転する回転板２４とを備えている。この回転板２４は、図９に示すように、小径の円形部３０と、この小径の円形部３０よりも大径でほぼ半円弧に形成された半円弧部３１とを備え、回転軸２６によって電池基板２３に対して一定間隔を保った状態で、回転するように構成されている。
【００５５】
また、この回転板２４の上面には、図８および図９に示すように、第１電極５２が絶縁膜５４を介して設けられている。この場合、絶縁膜５４は、回転板２４の円形部３０における上面のほぼ全域に円形状に設けられている。この絶縁膜５４上に設けられた第１電極５２は、回転板２４の回転中心部である軸孔２４ａから放射状に形成された放射状部５５を備えている。この放射状部５５は、図９に示すように、回転板２４の円形部３０に設けられた絶縁膜５４上に多数の電極片５５ａが一定間隔で放射状に配列された構成になっている。
【００５６】
すなわち、この放射状部５５は、多数の電極片５５ａがほぼ一定の幅で放射方向に向けて細長く形成されていると共に、互いに隣接する各電極片５５ａが一定間隔の隙間をもって配列されている。また、この放射状部５５は、多数の電極片５５ａがその内周端と外周端とにおいてすべて接続された状態で、絶縁膜５４の側方に導かれて回転板２４と電気的に接続されている。
【００５７】
これにより、第１電極５２は、実施形態１と同様、回転板２４、回転軸２６、およびベアリング２７をそれぞれ介して電池ケース１６の負極（−）である電極板１８と電気的に接続されている。この場合にも、第１電極５２の各電極片５５ａ上には、実施形態１と同様、電荷保持体であるエレクトレット膜３５が形成されている。このエレクトレット膜３５は、実施形態１と同じ材料で形成されている。
【００５８】
一方、回転板２４に対向する電池基板２３の下面には、図８および図１０に示すように、第２電極５３が絶縁膜５６を介して設けられている。この絶縁膜５６は、回転板２４の第１電極５２に対応する箇所に、第１電極５２と同じ大きさの円形状に形成されており、この絶縁膜５６の下面（図１０では表面）には、第２電極５３が設けられている。この第２電極５３も、実施形態１と同様、導電性を有する金属からなり、回転板２４の回転中心部である回転軸２６から放射状に形成された円形状の放射状部５７を備えている。
【００５９】
この放射状部５７は、図１０に示すように、電池基板２３に円形状に設けられた絶縁膜５６に多数の電極片５７ａが一定間隔で放射状に配列された構成になっている。すなわち、この放射状５７は、第１電極５２の放射状部５５と同様、多数の電極片５７ａがほぼ一定の幅で放射方向に向けて細長く形成されていると共に、互いに隣接する各電極片５７ａが一定間隔の隙間をもって配列されている。
【００６０】
また、この放射状部５７は、多数の電極片５７ａがその内周端と外周端とにおいてすべて接続された状態で、絶縁膜５６の側方に導かれて電池基板２３と電気的に接続されていると共に、この電池基板２３および接続部材２５を介して電池ケース１６の正極（＋）であるケース本体１７と電気的に接続されている。
【００６１】
これにより、この電池装置５０は、発電部５１の回転板２４が回転して、回転板２４に設けられた第１電極５２が電池基板２３に設けられた第２電極５３に対して相対的に回転移動すると、第１電極５２の多数の電極片５５ａに形成されたエレクトレット膜３５と第２電極５３の多数の電極片５７ａとが相対的に移動して、第１電極５２の多数のエレクトレット膜３５と第２電極５３の多数の電極片５７ａとの間の誘導電荷量が変化することにより、発電するように構成されている。
【００６２】
次に、この電子腕時計を腕に取り付けて使用する場合について説明する。
まず、腕を振って歩きながら電子腕時計を軽く振った場合には、実施形態１と同様、その電子腕時計内の電池装置５０における発電部５１の回転板２４が腕の振りに応じて電池基板２３に対して一定間隔を保って回転する。このとき、回転板２４は、必ずしも１回転（３６０°の角度回転）せず、腕の振りによる慣性力に応じた角度範囲で揺動する。このため、回転板２４は例えば時計周りに所定の角度回転した後、反時計回りに所定の角度回転し、この動作を繰り返すことにより、発電を繰り返して電池部２１の蓄電部２２に蓄電する。
【００６３】
すなわち、回転板２４が時計周りに所定角度回転するときには、第１電極５２の多数の電極片５５ａ上に形成されたエレクトレット膜３５と第２電極５３の多数の電極片５７ａとが相対的に移動して、第１電極５２の多数のエレクトレット膜３５と第２電極５３の多数の電極片５７ａとの間の誘導電荷量が変化することにより、発電を行ない、電池部２１の蓄電部２２に蓄電する。
【００６４】
また、回転板２４が反時計周りに所定の角度回転するときにも、第１電極５２の多数の電極片５５ａ上に形成されたエレクトレット膜３５と第２電極５３の多数の電極片５７ａとが相対的に移動して、第１電極５２の多数のエレクトレット膜３５と第２電極５３の多数の電極片５７ａとの間の誘導電荷量が変化することにより、発電を行ない、電池部２１の蓄電部２２に蓄電する。
【００６５】
一方、電子腕時計が取り付けられた腕を曲げて上下方向に速く動かした場合には、発電部５１の回転板２４が小径の円形部３０の外周部に設けられた半円弧部３１の錘部３１ａによる慣性によって同じ方向（時計方向または反時計方向）に連続して回転する。このときには、第１電極５２の多数のエレクトレット膜３５と第２電極５３の多数の電極片５７ａとが常に対向して相対的に回転移動する。
【００６６】
すなわち、多数のエレクトレット膜３５を備えた第１電極５２は、回転板２４の円形部３０に円形状に設けられており、多数の電極片５７ａを備えた第２電極５３は、電池基板２３における第１電極５２と対向する箇所に円形状に設けられているので、第１電極５２の多数のエレクトレット膜３５と第２電極５３の多数の電極片５７ａとが常に対向して相対的に回転移動する。これにより、第１電極５２の多数のエレクトレット膜３５と第２電極５３の多数の電極片５７ａとの間の誘導電荷量を変化させるので、連続して発電を行ない、電池部２１の蓄電部２２に蓄電する。
【００６７】
このように、この電子腕時計の電池装置５０によれば、実施形態１と同様の作用効果があるほか、発電部５１における第１電極５２の放射状部５５が回転板２４の円形部３０に円形状に形成され、第２電極５３が電池基板２３に第１電極５２と対応して円形状に設けられているので、第１電極５２の多数の電極片５５ａに形成されたエレクトレット膜３５と第２電極５３の多数の電極片５７ａとを常に対向させた状態で相対的に移動させることができ、これにより腕の振りによる回転板２４の回転に応じて連続して発電を行うことができるので、実施形態１よりも、更に効率良く発電することができる。
【００６８】
（実施形態３）
次に、図１１〜図１３を参照して、この発明を適用した電子腕時計の実施形態３について説明する。この場合には、図８〜図１０に示された実施形態２と同一部分に同一符号を付して説明する。
この電子腕時計は、電池装置６０の発電部６１における第１電極６２と第２電極６３とが実施形態２と異なる構成であり、これ以外は実施形態２と同じ構成になっている。
【００６９】
すなわち、回転板２４の上面には、図１１および図１２に示すように、第１電極６２が絶縁膜６４を介して設けられている。この絶縁膜６４は、回転板２４の円形部３０および半円弧部３１における上面のほぼ全域に設けられている。この絶縁膜６４上に設けられた第１電極６２は、回転板２４の回転中心部である軸孔２４ａから放射状に形成された放射状部６５を備えている。
【００７０】
この放射状部６５は、図１２に示すように、回転板２４の円形部３０と半円弧部３１とに亘って設けられた絶縁膜６４上に多数の電極片６５ａが一定間隔で放射状に配列された構成になっている。すなわち、この放射状部６５は、回転板２４の円形部３０に位置する部分の電極片６５ａが円形状に形成され、回転板２４の半円弧部３１に位置する部分の電極片６５ａが半円弧状に形成されている。
【００７１】
この場合にも、放射状部６５は、多数の電極片６５ａがほぼ一定の幅で放射方向に向けて細長く形成されていると共に、互いに隣接する各電極片６５ａが一定間隔の隙間をもって配列されている。また、この放射状部６５は、多数の電極片６５ａがその内周端と外周端とにおいてすべて接続された状態で、絶縁膜６４の側方に導かれて回転板２４と電気的に接続されている。
【００７２】
これにより、第１電極６２は、回転板２４、回転軸２６、およびベアリング２７をそれぞれ介して電池ケース１６の負極（−）である電池板１８と電気的に接続されている。また、この第１電極６２の放射状部６５における各電極片６５ａ上には、実施形態２と同様、電荷保持体であるエレクトレット膜３５が形成されている。
【００７３】
一方、回転板２４に対向する電池基板２３の下面（図１３では表面）には、図１１および図１３に示すように、第２電極６３が絶縁膜６６を介して設けられている。この絶縁膜６６は、回転板２４の第１電極６２が回転移動する回転移動軌跡上に対応する箇所、つまり回転板２４の小径の円形部３０に対応する箇所、および回転板２４の半円弧部３１の回転移動軌跡上に対応する箇所の両者に亘って、第１電極６２とほぼ同じ形状で形成されている。
【００７４】
この絶縁膜６６の下面に設けられた第２電極６３は、実施形態２と同様、回転板２４の回転中心部である回転軸２６から放射状に形成された放射状部６７を備えている。この放射状部６７は、図１３に示すように、電池基板２３に設けられた絶縁膜６６に多数の電極片６７ａが一定間隔で放射状に配列された構成になっている。すなわち、この放射状部６７は、回転板２４の小径の円形部３０に対応する部分の電極片６７ａと、回転板２４の半円弧部３１に対応する部分の電極片６７ａとを備えている。
【００７５】
この場合、放射状部６７は、図１３に示すように、回転板２４の半円弧部３１に対応する部分の電極片６７ａが、第１電極６２とほぼ同じ大きさの半円弧状に形成された構成になっている。また、この放射状部６７も、実施形態２と同様、多数の電極片６７ａがその内周端と外周端とにおいてすべて接続された状態で、絶縁膜６６の側方に導かれて電池基板２３と電気的に接続されていると共に、この電池基板２３および接続部材２５を介して電池ケース１６の正極（＋）であるケース本体１７と電気的に接続されている。
【００７６】
これにより、この電池装置６０は、発電部６１の回転板２４が回転して、回転板２４に設けられた第１電極６２が電池基板２３に設けられた第２電極６３に対して相対的に回転移動すると、第１電極６２の多数の電極片６５ａに形成されたエレクトレット膜３５と第２電極６３の多数の電極片６７ａとが相対的に移動して、第１電極６２の多数のエレクトレット膜３５と第２電極６３の多数の電極片６７ａとの間の誘導電荷量が変化することにより、発電して、電池部２１の蓄電部２２に蓄電するように構成されている。
【００７７】
このように、この電子腕時計の電池装置６０においても、発電部６１における第１電極６２の放射状部６５が回転板２４の円形部３０および半円弧部３１に亘って形成されていることにより、第１電極６２の多数の電極片６５ａに形成されたエレクトレット膜３５を第２電極６３の多数の電極片６７ａに常に対向させた状態で相対的に移動させることができ、これにより腕の振りによる回転板２４の回転に応じて連続して発電を行うことができるので、実施形態１、２と同様、効率良く発電して電池部２１の蓄電部２２に蓄電することができる。
【００７８】
すなわち、第１電極６２は、その放射状部６５の一部が回転板２４の小径の円形部３０に円形状に設けられており、第２電極６３は、その放射状部６７の一部が回転板２４の小径の円形部３０に対応して円形状に設けられているので、実施形態２と同様、効率良く発電して電池部２１の蓄電部２２に蓄電することができる。
【００７９】
また、第１電極６２は、その放射状部６５における他の一部が回転板２４の半円弧部３１に半円弧状に設けられており、第２電極６３は、その放射状部６７における他の一部が回転板２４の第１電極６２の回転移動軌跡上に対応する箇所に、半円弧状に設けられているので、実施形態１と同様に発電して電池部２１の蓄電部２２に蓄電することができる。これにより、実施形態１、２よりも、更に効率良く発電することができると共に、電池部２１の蓄電部２２に良好に蓄電することができる。
【００８０】
（実施形態４）
次に、図１４〜図１６を参照して、この発明を適用した電子腕時計の実施形態４について説明する。この場合には、図１１〜図１３に示された実施形態３と同一部分に同一符号を付して説明する。
この電子腕時計は、電池装置７０の発電部７１における第１電極７２と第２電極７３とが実施形態３と少し異なる構成であり、これ以外は実施形態３と同じ構成になっている。
【００８１】
すなわち、回転板２４の上面には、実施形態３と同様、第１電極７２が絶縁膜７４を介して設けられている。この絶縁膜７４も、回転板２４の円形部３０および半円弧部３１における上面のほぼ全域に設けられている。この絶縁膜７４上に設けられた第１電極７２は、回転板２４の回転中心部である軸孔２４ａから放射状に形成された第１、第２の各放射状部７５、７６を備えている。第１放射状部７５は、図１５に示すように、回転板２４の円形部３０に位置する絶縁膜７４上に多数の電極片７５ａが一定間隔で放射状に配列された構成になっている。
【００８２】
また、第２放射状部７６は、図１５に示すように、回転板２４の半円弧部３１に位置する絶縁膜７４上に多数の電極片７６ａが第１放射状部７５の電極片７５ａと異なる間隔で放射状に配列された構成になっている。すなわち、この第２放射状部７６は、多数の電極片７６ａが第１放射状部７５の電極片７５ａの間隔よりも広い間隔で形成されている。
【００８３】
これら第１、第２の各放射状部７５、７６は、実施形態３と同様、各電極片７５ａ、７６ａがその内周端と外周端とにおいてすべて接続された状態で、絶縁膜７４の側方に導かれて回転板２４と電気的に接続されている。これにより、第１電極７２は、回転板２４、回転軸２６、およびベアリング２７をそれぞれ介して電池ケース１６の負極（−）である出電極板１８と電気的に接続されている。この場合にも、第１、第２の各放射状部７５、７６の各電極片７５ａ、７６ａ上には、実施形態３と同様、電荷保持体であるエレクトレット膜３５がそれぞれ形成されている。
【００８４】
一方、回転板２４に対向する電池基板２３の下面(図１６では表面)には、図１４および図１６に示すように、第２電極７３が絶縁膜７７を介して設けられている。この絶縁膜７７も、実施形態３と同様、回転板２４の第１電極７２が回転移動する回転移動軌跡上に対応する箇所、つまり回転板２４の小径の円形部３０に対応する箇所、および回転板２４の半円弧部３１の回転移動軌跡上に対応する箇所の両者に亘って、第１電極７２とほぼ同じ形状で形成されている。
【００８５】
この絶縁膜７７の下面に設けられた第２電極７３は、実施形態３と同様、回転板２４の回転中心部である回転軸２６から放射状に形成された第３、第４の各放射状部７８、７９を備えている。すなわち、第３放射状部７８は、図１６に示すように、第１電極７２の第１放射状部７５に対応して円形状に設けられており、第４放射状部７９は、第１電極７２の第２放射状部７６の回転移動軌跡上に対応する箇所に半円弧状に設けられている。
【００８６】
この場合、第３放射状部７８は、図１６に示すように、電池基板２３に設けられた絶縁膜７７に多数の電極片７８ａが第１電極７２の第１放射状部７５の各電極片７５ａと同じ間隔で放射状に配列された構成になっている。また、第４放射状部７９は、図１６に示すように、電池基板２３に設けられた絶縁膜７７に多数の電極片７９ａが第１電極７２の第２放射状部７６の各電極７６ａと同じ間隔で放射状に配列された構成になっている。
【００８７】
すなわち、この第４放射状部７９は、多数の電極片７９ａが第３放射状部７８の電極片７８ａの間隔よりも広い間隔で形成されている。そして、第３、第４の各放射状部７８、７９の各電極片７８ａ、７９ａは、実施形態３と同様、その内周端と外周端とにおいてすべて接続された状態で、絶縁膜７７の側方に導かれて電池基板２３と電気的に接続されていると共に、この電池基板２３および接続部材２５を介して電池ケース１６の正極（＋）であるケース本体１７と電気的に接続されている。
【００８８】
これにより、この電池装置７０は、発電部７１の回転板２４が回転して、回転板２４に設けられた第１電極７２が電池基板２３に設けられた第２電極７３に対して相対的に回転移動すると、第１電極７２における第１、第２の各放射状部７５、７６の各多数の電極片７５ａ、７６ａに形成されたエレクトレット膜３５が第２電極７３における第３、第４の各放射状部７８、７９の各多数の電極片７８ａ、７９ａに対して相対的に移動して、第１電極７２における第１、第２の各放射状部７５、７６の各多数のエレクトレット膜３５と第２電極７３における第３、第４の各放射状部７８、７９の各多数の電極片７８ａ、７９ａとの間の誘導電荷量が変化することにより、発電するように構成されている。
【００８９】
このように、この電子腕時計の電池装置７０においても、実施形態３と同様、第１電極７２の第１、第２の各放射状部７５、７６が回転板２４の円形部３０および半円弧部３１に亘って形成されていることにより、第１電極７２における第１、第２の各放射状部７５、７６の多数の電極片７５ａ、７６ａに形成されたエレクトレット膜３５と、第２電極７３における第３、第４の各放射状部７８、７９の多数の電極片７８ａ、７９ａとを、相対的に移動させることができ、これにより実施形態３と同様、腕の振りによる回転板２４の回転に応じて連続して発電をすることができると共に、電池部２１の蓄電部２２に蓄電することができる。
【００９０】
すなわち、第１電極７２は、その第１放射状部７５が回転板２４の小径の円形部３０に円形状に設けられており、第２電極７３は、その第３放射状部７８が第１電極７２の第１放射上部７５に対応する電池基板２３の個所に円形状に設けられているので、実施形態２と同様に発電することができると共に、電池部２１の蓄電部２２に蓄電することができる。
【００９１】
また、第１電極７２は、その第２放射状部７６が回転板２４の半円弧部３１に半円弧状に設けられており、第２電極７３は、その第４放射状部７９が第１電極７２の第２放射状部７６の回転移動軌跡上に対応する電池基板２３の箇所に半円弧状に設けられているので、実施形態１と同様に発電することができると共に、電池部２１の蓄電部２２に蓄電することができる。これにより、実施形態３と同様、実施形態１、２よりも、更に効率良く発電して電池部２１の蓄電部２２に蓄電することができる。
【００９２】
この場合には、第１電極７２の第１放射状部７５における多数の電極片７５ａの間隔と、第２電極７３の第３放射状部７８における多数の電極片７８ａの間隔とが同じ間隔で対応しているので、所定の周波数で発電することができると共に、第１電極７２の第２放射状部７６における多数の電極片７６ａの間隔と、第２電極７３の第４放射状部７９における多数の電極片７９ａの間隔とが同じ間隔で、且つ第１、第３の各放射状部７５、７６の各電極片７５ａ、７６ａの間隔と異なる間隔であるから、第１、第３の各放射状部７５、７６で発電した周波数と異なる周波数で発電することができる。
【００９３】
なお、上述した実施形態１〜４およびその変形例では、回転板２４が小径の円形部３０と大径の半円弧部３１とを備えた構成である場合について述べたが、これに限らず、例えば図１７に示す変形例のように、回転板８０を円形の円板状に形成すると共に、その外周縁に錘部８１を半円弧状に設けた構成にしても良い。このように構成すれば、回転板８０に第１電極８２を円形のリング状に連続させて形成することできるので、回転板８０の第１電極８２を常に第２電極３６、４５、５３、６３、７３に対応させて回転移動させることができ、これにより回転板８０がどのように回転しても、連続して発電することできると共に、回転速度に応じて発電を安定させることができる。
【００９４】
また、上述した実施形態１〜４およびその各変形例では、第１電極３２、５２、６２、７２、８２にエレクトレット膜３５を設けた場合について述べたが、必ずしも第１電極３２、５２、６２、７２、８２にエレクトレット膜３５を設ける必要はなく、第１電極３２、５２、６２、７２、８２に代えて第２電極３６、４５、５３、６３、７３にエレクトレット膜３５を設けた構成でも良い。このように構成しても、実施形態１〜４およびその各変形例と同様の作用効果がある。
【００９５】
なおまた、上述した実施形態１〜４およびその各変形例では、電子腕時計に適用した場合について述べたが、必ずしも電子腕時計などの時計である必要はなく、例えば携帯電話機や歩数計などの各種の携帯型の電子機器に広く適用することができる。
【符号の説明】
【００９６】
１  腕時計ケース
６  時計モジュール
１２、５０、６０、７０  電池装置
１６  電池ケース
１７  ケース本体
１８  電極板
２０  発電部
２１  電池部
２２  蓄電部
２３  電池基板
２４、８０  回転板
２６  回転軸
３０  小径の円形部
３１  大径の半円弧部
３１ａ、８１  錘部
３２、５２、６２、７２、８２  第１電極
３３、３７、５４、５６、６４、６６、７４、７７  絶縁膜
３４、５５、６５  第１電極の放射状部
３４ａ、５５ａ、６５ａ  電極片
３５  エレクトレット膜
３６、４５、５３、６３、７３  第２電極
３８、４６、５７、６７  第２電極の放射状部
３８ａ、４６ａ、５７ａ、６７ａ  電極片
７５、７６  第１電極の第１、第２の各放射状部
７５ａ、７６ａ  電極片
７８、７９  第２電極の第３、第４の各放射状部
７８ａ、７９ａ  電極片
【図１】
2010279201.tif 000003
【図２】
2010279201.tif 000004
【図３】
2010279201.tif 000005
【図４】
2010279201.tif 000006
【図５】
2010279201.tif 000007
【図６】
2010279201.tif 000008
【図７】
2010279201.tif 000009
【図８】
2010279201.tif 000010
【図９】
2010279201.tif 000011
【図１０】
2010279201.tif 000012
【図１１】
2010279201.tif 000013
【図１２】
2010279201.tif 000014
【図１３】
2010279201.tif 000015
【図１４】
2010279201.tif 000016
【図１５】
2010279201.tif 000017
【図１６】
2010279201.tif 000018
【図１７】
2010279201.tif 000019